(57)【要約】【課題】被写体の所在位置や属性を特定して、確実に動きを録画するための録画管理システム、録画管理方法及び録画管理プログラムを提供する。【解決手段】アンテナ管理部１３から検知情報を取得した録画管理サーバ２０の制御部２１は、ゴルフティーの設置位置及びゴルフティーの利用者を特定する。そして、制御部２１は、利用者の属性を取得し、録画に用いる撮影装置を特定する。更に、制御部２１は、撮影装置の位置とゴルフティーの設置位置とに基づいて撮影方向、フォーカスの調整処理を行なう。そして、制御部２１は、ＩＣタグを検知できなくなってから所定の継続基準時間を経過するまで、動画像の記録を行なう。そして、ＵＲＬを付与して、動画像を画像管理データベース２５に記録する。携帯電話端末３０からＵＲＬに基づいて再生要求を受信した場合、携帯電話端末３０に画像データを送信する。【選択図】図１
2010213339.tif 000002
【特許請求の範囲】
【請求項１】
無線タグの利用者の利用者識別子に対して、この利用者の属性情報を記録した利用者情報記憶手段と、
前記属性情報に対応して撮影条件を記録した撮影条件記憶手段と、
撮影装置によって撮影した録画データを記録する録画情報記憶手段と、
無線タグの所在位置を特定する無線タグ位置センサと、
複数の撮影装置及び無線タグ位置センサに接続された制御手段とを備えた録画管理システムであって、
前記制御手段が、
前記無線タグ位置センサにより無線タグを検知した場合、無線タグの所在位置を特定する手段、
前記無線タグに記憶された利用者識別子を取得し、前記利用者情報記憶手段から、この利用者の属性情報を取得する手段、
前記撮影条件記憶手段を用いて、前記属性情報に応じて、前記複数の撮影装置の中から前記所在位置に存在する被写体を撮影する撮影装置及び前記撮影装置における撮影条件を決定する手段、
前記撮影条件に基づいて、前記撮影装置により被写体の録画を開始し、前記録画情報記憶手段に録画データを記録する手段
を備えたことを特徴とする録画管理システム。
【請求項２】
前記被写体の所在位置に応じて、前記撮影条件として前記撮影装置の方向を設定することを特徴とする請求項１に記載の録画管理システム。
【請求項３】
前記被写体の所在位置に応じて、前記撮影条件として、前記撮影装置のフォーカスを設定することを特徴とする請求項１又は２に記載の録画管理システム。
【請求項４】
前記制御手段は、前記無線タグ位置センサにより無線タグを検知できなくなった場合、検知できなくなった時点からの経過時間を算出し、この経過時間が継続基準時間に達した場合に録画を停止することを特徴とする請求項１〜３のいずれか一つに記載の録画管理システム。
【請求項５】
前記利用者情報記憶手段には、利用者の連絡先情報が更に記録されており、
前記制御手段が、前記録画情報記憶手段に記録された録画データにアクセスするための情報を、前記利用者の連絡先に送信することを特徴とする請求項１〜４のいずれか一つに記載の録画管理システム。
【請求項６】
無線タグの利用者の利用者識別子に対して、この利用者の属性情報を記録した利用者情報記憶手段と、
前記属性情報に対応して撮影条件を記録した撮影条件記憶手段と、
撮影装置によって撮影した録画データを記録する録画情報記憶手段と、
無線タグの所在位置を特定する無線タグ位置センサと、
複数の撮影装置及び無線タグ位置センサに接続された制御手段とを備えた録画管理システムを用いて、録画処理を管理する方法であって、
前記制御手段が、
前記無線タグ位置センサにより無線タグを検知した場合、無線タグの所在位置を特定する段階、
前記無線タグに記憶された利用者識別子を取得し、前記利用者情報記憶手段から、この利用者の属性情報を取得する段階、
前記撮影条件記憶手段を用いて、前記属性情報に応じて、前記複数の撮影装置の中から
前記所在位置に存在する被写体を撮影する撮影装置及び前記撮影装置における撮影条件を決定する段階、
前記撮影条件に基づいて、前記撮影装置により被写体の録画を開始し、前記録画情報記憶手段に録画データを記録する段階
を実行することを特徴とする録画管理方法。
【請求項７】
無線タグの利用者の利用者識別子に対して、この利用者の属性情報を記録した利用者情報記憶手段と、
前記属性情報に対応して撮影条件を記録した撮影条件記憶手段と、
撮影装置によって撮影した録画データを記録する録画情報記憶手段と、
無線タグの所在位置を特定する無線タグ位置センサと、
複数の撮影装置及び無線タグ位置センサに接続された制御手段とを備えた録画管理システムを用いて、録画処理を管理するためのプログラムであって、
前記制御手段を、
前記無線タグ位置センサにより無線タグを検知した場合、無線タグの所在位置を特定する手段、
前記無線タグに記憶された利用者識別子を取得し、前記利用者情報記憶手段から、この利用者の属性情報を取得する手段、
前記撮影条件記憶手段を用いて、前記属性情報に応じて、前記複数の撮影装置の中から前記所在位置に存在する被写体を撮影する撮影装置及び前記撮影装置における撮影条件を決定する手段、
前記撮影条件に基づいて、前記撮影装置により被写体の録画を開始し、前記録画情報記憶手段に録画データを記録する手段
として機能させることを特徴とする録画管理プログラム。
【発明の詳細な説明】
【技術分野】
【０００１】
本発明は、確実に被写体の動きを録画するための録画管理システム、録画管理方法及び録画管理プログラムに関する。
【背景技術】
【０００２】
今日、映像により記録を残すために、色々な場所で撮影装置を用いての録画が行なわれている。このような録画は、人間のような動体の挙動を撮影するために利用される場合がある（例えば、特許文献１を参照。）。この文献記載の自動録画装置は、ドアの前の状況を撮影するアイカメラと、ドアの前の来訪者を検知するセンサとを備える。そして、センサにより来訪者が検知されているときドアの前の映像を自動的に録画する。そして、録画対象となる場所に人の存在が検知されたときのみ、その場所の状況を自動的に録画する。
【０００３】
また、このような録画においては、人間の動作確認にも利用される場合があり、例えば、ゴルフのスイング診断にも利用されている（例えば、特許文献２を参照。）。この文献記載の技術では、ゴルフクラブを把持してスイングするゴルファーを撮影した画像を取り込む診断コンピュータでスイング姿勢あるいはシャフト角度を含む診断項目を設定する。そして、診断コンピュータは、診断項目に関して、画像上でのスイング中に動作する色付マークの位置座標より数値化されたデータと、診断コンピュータに予め入力されている理想値である判定値とを比較してスイング診断を行なう。
【０００４】
また、ＩＣタグを利用して撮影条件を設定する技術も検討されている（例えば、特許文献３を参照。）。この文献記載の技術では、ＩＤタグからＩＤデータを複数受信した場合、撮影条件が記憶された条件テーブルのＩＤデータを特定して表示し、選択入力の指示がなされたＩＤデータを対象のＩＤデータとして定める。そして、このＩＤデータの設定データを撮影条件に設定する。
【先行技術文献】
【特許文献】
【０００５】
【特許文献１】特開平１１−２１５４８４号公報（第１頁）
【特許文献２】特開２００５−２７０５０８号公報（第１頁）
【特許文献３】特開２００６−９４０６４号公報（第１頁）
【発明の概要】
【発明が解決しようとする課題】
【０００６】
しかし、録画を行なう場合、その動体の所在位置や属性によって撮影条件が異なってくる。特許文献１に記載された技術では、自動的に録画が行なわれるが、被写体の属性に応じて適切な録画を行なうことができない。
【０００７】
また、特許文献２に記載された技術では、ゴルフスイング診断システムの前で、診断のためのスイング動作を行なう必要がある。しかし、ティーグラウンドのように、実際の場面においてスイング動作を確認したい場合もある。更に、スイングを自動録画する場合、スイング終了までを確実に録画した後で停止させる必要がある。
【０００８】
また、特許文献３に記載された技術では一つのカメラを用いて被写体を撮影しているが、複数の撮影装置を用いて同一被写体を撮影する場合もある。この場合には、録画に用いる適切な撮影装置を選択する必要がある。さらに、動画の場合には録画開始から録画終了までを的確に判断する必要がある。
【０００９】
本発明は、上述の問題に鑑みてなされたものであり、この目的は、被写体の所在位置や属性を特定して、確実に動きを録画するための録画管理システム、録画管理方法及び録画管理プログラムを提供することにある。
【課題を解決するための手段】
【００１０】
上記問題点を解決するために、請求項１に記載の発明は、無線タグの利用者の利用者識別子に対して、この利用者の属性情報を記録した利用者情報記憶手段と、前記属性情報に対応して撮影条件を記録した撮影条件記憶手段と、撮影装置によって撮影した録画データを記録する録画情報記憶手段と、無線タグの所在位置を特定する無線タグ位置センサと、複数の撮影装置及び無線タグ位置センサに接続された制御手段とを備えた録画管理システムであって、前記制御手段が、前記無線タグ位置センサにより無線タグを検知した場合、無線タグの所在位置を特定する手段、前記無線タグに記憶された利用者識別子を取得し、前記利用者情報記憶手段から、この利用者の属性情報を取得する手段、前記撮影条件記憶手段を用いて、前記属性情報に応じて、前記複数の撮影装置の中から前記所在位置に存在する被写体を撮影する撮影装置及び前記撮影装置における撮影条件を決定する手段、前記撮影条件に基づいて、前記撮影装置により被写体の録画を開始し、前記録画情報記憶手段に録画データを記録する手段を備えたことを要旨とする。
【００１１】
請求項２に記載の発明は、請求項１に記載の録画管理システムにおいて、前記被写体の所在位置に応じて、前記撮影条件として前記撮影装置の方向を設定することを要旨とする。
【００１２】
請求項３に記載の発明は、請求項１又は２に記載の録画管理システムにおいて、前記被写体の所在位置に応じて、前記撮影条件として、前記撮影装置のフォーカスを設定することを要旨とする。
【００１３】
請求項４に記載の発明は、請求項１〜３のいずれか一つに記載の録画管理システムにおいて、前記制御手段は、前記無線タグ位置センサにより無線タグを検知できなくなった場合、検知できなくなった時点からの経過時間を算出し、この経過時間が継続基準時間に達した場合に録画を停止することを要旨とする。
【００１４】
請求項５に記載の発明は、請求項１〜４のいずれか一つに記載の録画管理システムにおいて、前記利用者情報記憶手段には、利用者の連絡先情報が更に記録されており、前記制御手段が、前記録画情報記憶手段に記録された録画データにアクセスするための情報を、前記利用者の連絡先に送信することを要旨とする。
【００１５】
請求項６に記載の発明は、無線タグの利用者の利用者識別子に対して、この利用者の属性情報を記録した利用者情報記憶手段と、前記属性情報に対応して撮影条件を記録した撮影条件記憶手段と、撮影装置によって撮影した録画データを記録する録画情報記憶手段と、無線タグの所在位置を特定する無線タグ位置センサと、複数の撮影装置及び無線タグ位置センサに接続された制御手段とを備えた録画管理システムを用いて、録画処理を管理する方法であって、前記制御手段が、前記無線タグ位置センサにより無線タグを検知した場合、無線タグの所在位置を特定する段階、前記無線タグに記憶された利用者識別子を取得し、前記利用者情報記憶手段から、この利用者の属性情報を取得する段階、前記撮影条件記憶手段を用いて、前記属性情報に応じて、前記複数の撮影装置の中から前記所在位置に存在する被写体を撮影する撮影装置及び前記撮影装置における撮影条件を決定する段階、前記撮影条件に基づいて、前記撮影装置により被写体の録画を開始し、前記録画情報記憶手段に録画データを記録する段階を実行することを要旨とする。
【００１６】
請求項７に記載の発明は、無線タグの利用者の利用者識別子に対して、この利用者の属性情報を記録した利用者情報記憶手段と、前記属性情報に対応して撮影条件を記録した撮影条件記憶手段と、撮影装置によって撮影した録画データを記録する録画情報記憶手段と、無線タグの所在位置を特定する無線タグ位置センサと、複数の撮影装置及び無線タグ位置センサに接続された制御手段とを備えた録画管理システムを用いて、録画処理を管理するためのプログラムであって、前記制御手段を、前記無線タグ位置センサにより無線タグを検知した場合、無線タグの所在位置を特定する手段、前記無線タグに記憶された利用者識別子を取得し、前記利用者情報記憶手段から、この利用者の属性情報を取得する手段、前記撮影条件記憶手段を用いて、前記属性情報に応じて、前記複数の撮影装置の中から前記所在位置に存在する被写体を撮影する撮影装置及び前記撮影装置における撮影条件を決定する手段、前記撮影条件に基づいて、前記撮影装置により被写体の録画を開始し、前記録画情報記憶手段に録画データを記録する手段として機能させることを要旨とする。
【００１７】
（作用）
請求項１、６又は７に記載の発明によれば、制御手段が、無線タグ位置センサにより無線タグを検知した場合、無線タグの所在位置を特定する。そして、無線タグに記憶された利用者識別子を取得し、利用者情報記憶手段から、この利用者の属性情報を取得する。更に、撮影条件記憶手段を用いて、属性情報に応じて、複数の撮影装置の中から所在位置に存在する被写体を撮影する撮影装置及び撮影装置における撮影条件を決定する。そして、撮影条件に基づいて、撮影装置により被写体の録画を開始し、録画情報記憶手段に録画データを記録する。これにより、被写体の所在位置や属性に応じて適切な撮影条件を設定し、録画を行なうことができる。また、制御手段が、利用者の属性情報に応じて、撮影条件として録画に用いる撮影装置を決定する。利き腕のように被写体の属性に応じて、撮影方法を変えた方が適切な録画を行なうことができる場合があるため、複数の撮影装置の中で、録画に適した撮影装置を選択して利用することができる。
【００１８】
請求項２に記載の発明によれば、制御手段は、被写体の所在位置に応じて、撮影条件として撮影装置の方向を設定する。これにより、被写体を中心にして的確な録画を行なうことができる。
【００１９】
請求項３に記載の発明によれば、制御手段が、被写体の所在位置に応じて、撮影条件として、撮影装置のフォーカスを設定する。これにより、被写体に焦点を合わせた的確な録画を行なうことができる。
【００２０】
請求項４に記載の発明によれば、制御手段は、無線タグ位置センサにより無線タグを検知できなくなった場合、検知できなくなった時点からの経過時間を算出し、この経過時間が継続基準時間に達した場合に録画を停止する。これにより、無線タグを検知できなくなった後の被写体の状況を録画することができる。
【００２１】
請求項５に記載の発明によれば、制御手段が、録画情報記憶手段に記録された録画データにアクセスするための情報を、利用者の連絡先に送信する。これにより、利用者は、録画データにアクセスして録画を閲覧することができる。
【発明の効果】
【００２２】
本発明によれば、被写体の所在位置や属性を特定して、確実に動きを録画することができる。
【図面の簡単な説明】
【００２３】
【図１】本発明の実施形態のシステム概略図。
【図２】本発明の実施形態のティーグラウンドの説明図。
【図３】本実施形態の録画管理サーバの機能ブロックの説明図。
【図４】各データ記憶部に記録されたデータの説明図であって、（ａ）は利用者データベース、（ｂ）はアンテナ配置データベース、（ｃ）は撮影条件データベース、（ｄ）は画像管理データベースに記録されたデータの説明図。
【図５】本実施形態の処理手順の説明図。
【図６】本実施形態の処理手順の説明図。
【図７】本実施形態の処理手順の説明図。
【図８】本実施形態の処理手順の説明図。
【発明を実施するための形態】
【００２４】
以下、本発明を具体化した録画管理システムの一実施形態を、図１〜図８に従って説明する。本実施形態では、図１に示す録画管理サーバ２０を用いて、撮影された動画像を利用者に提供するための録画管理システム、録画管理方法及び録画管理プログラムとして説明する。本実施形態では、ティーグラウンドに設置された撮影装置を用いて、利用者（本実施形態ではゴルファー）を被写体として、そのスイングを撮影する録画サービスを提供する場合を想定する。
【００２５】
本実施形態の録画サービスを利用する場合には、利用者の携帯電話端末３０を用いる。携帯電話端末３０は、公知の方法により携帯電話網の基地局に接続される。このために、携帯電話端末３０は、通話や各種指示の送受信のための通信処理を行なう制御部、表示部、入力部を備える。
【００２６】
表示部は、携帯電話端末３０が受信した電子メールや動画像などを表示する。入力部は、ダイヤル番号ボタンの他に、セレクタボタン、モード変更ボタンを有する。この携帯電話端末３０は、通常の電話モードの他に、電子メールの送受信を行なうためのメールモードや動画像を表示するためのブラウザモード等を実行する。
【００２７】
録画管理サーバ２０は、ネットワークを介して、撮影装置（１０ａ、１０ｂ、１０ｃ）に接続されている。各撮影装置（１０ａ、１０ｂ、１０ｃ）は、録画管理サーバ２０からの指示に基づいて、利用者のスイングを撮影する。本実施形態では、撮影装置（１０ａ、１０ｂ）は、ティーグラウンドの側面に設置されており、利き腕に応じて利用者の正面からスイングを撮影する。一方、撮影装置１０ｃはティーグラウンドの後方に設置されており、利用者の側面からスイングを撮影する。各撮影装置（１０ａ、１０ｂ、１０ｃ）は、利用者のスイング位置に応じて、撮影方向を制御する。
【００２８】
またティーグラウンドには、ＩＣタグを検知するためのアンテナ網１２が埋設されている。本実施形態では、このアンテナ網１２は、図２に示すように、ティーグラウンドにおいて仕切られた領域の端部毎にＩＣタグアンテナ１２０が設けられている。そして、各ＩＣタグアンテナ１２０にはアンテナ識別子が割り振られている。各ＩＣタグアンテナ１２０は、電波が到達する検知可能範囲のＩＣタグを検知する。
【００２９】
また、利用者は、ティーショットにおいて、無線タグとしてのＩＣタグ１１０が付加されたゴルフティー１１を用いる。このＩＣタグ１１０はゴルフティー１１に貼付又は内蔵されており、各ゴルフティー１１固有のタグ識別子に関するデータを保持している。ティーグラウンドに刺されたゴルフティー１１のＩＣタグ１１０は、各ＩＣタグアンテナ１２０から送信された電波に反応して、保持しているタグ識別子を返信する。
【００３０】
そして、各ＩＣタグアンテナ１２０は、ＩＣタグを検知した場合、ＩＣタグのタグ識別子とアンテナ識別子を含む検知情報を、アンテナ網１２を介して、アンテナ管理部１３に送信する。そして、ＩＣタグアンテナ１２０は、ゴルフティー１１がティーグラウンドか
ら抜かれた場合や、スイングによって飛ばされた場合には、電波状態が変化し、ＩＣタグを検知しなくなる。
【００３１】
無線タグ位置センサとしてのアンテナ管理部１３は、各ＩＣタグアンテナ１２０から受信した検知情報を録画管理サーバ２０に供給する。これにより、検知情報を供給したＩＣタグアンテナ１２０によって特定される範囲の中心位置を、ゴルフティーの設置位置として特定することができる。
【００３２】
一方、録画管理サーバ２０は、制御部２１、利用者データベース２２、アンテナ配置データベース２３、撮影条件データベース２４、画像管理データベース２５を備える。
録画管理サーバ２０の制御部２１は、録画管理プログラムが実行されることにより、無線タグ所在位置特定段階、利用者属性情報取得段階、撮影条件決定段階、録画データ記録段階等の各処理を実行する。そして、制御部２１は、図３に示すように、タグ情報取得手段２１１、利用者特定手段２１２、タグ位置特定手段２１３、カメラ特定手段２１４、撮影条件制御手段２１５、撮影制御手段２１６、画像編集手段２１７、画像提供手段２１８として機能する。
【００３３】
タグ情報取得手段２１１は、アンテナ管理部１３から、ゴルフティーに付加されたＩＣタグ１１０に関する情報を取得する処理を実行する。
利用者特定手段２１２は、ゴルフティー１１に付加されたＩＣタグ１１０のタグ識別子を用いて、利用者を特定する処理を実行する。
【００３４】
タグ位置特定手段２１３は、ＩＣタグ１１０を検知したＩＣタグアンテナ１２０のアンテナ識別子により、ゴルフティーが設置された位置を特定する処理を実行する。
カメラ特定手段２１４は、利用者の属性（本実施形態では利き腕）に応じて、利用者のスイングを撮影する撮影装置（１０ａ、１０ｂ）を特定する処理を実行する。
【００３５】
撮影条件制御手段２１５は、ゴルフティー１１の設置位置に基づいて、撮影方向やフォーカスを決定し、撮影装置（１０ａ、１０ｂ、１０ｃ）を操作する処理を実行する。
撮影制御手段２１６は、撮影装置（１０ａ、１０ｂ、１０ｃ）に対して撮影開始や撮影終了を指示することにより、録画を制御する処理を実行する。
【００３６】
画像編集手段２１７は、撮影された動画像を解析し、利用者に提供する画像を編集する処理を実行する。
画像提供手段２１８は、利用者の携帯電話端末３０からのアクセスに応じて、撮影した動画像を提供する処理を実行する。
【００３７】
利用者データベース２２は利用者情報記憶手段として機能し、図４（ａ）に示すように、録画サービスの利用者に関して属性情報を記録した利用者レコード２２０が記録される。この利用者レコード２２０は、録画サービスの利用申請が登録された場合に記録される。この利用者レコード２２０は、利用者識別子、連絡先、利き腕フラグ、タグ識別子、ステータスに関するデータを含んで構成される。本実施形態では、利用者は複数のゴルフティーを所有することが可能であり、ゴルフティー毎にタグ識別子、ステータスに関するデータが記録される。
【００３８】
利用者識別子データ領域には、録画サービスを利用する利用者を特定するための識別子に関するデータが記録される。
連絡先データ領域には、この利用者の連絡先に関するデータが記録される。本実施形態では、連絡先として、利用者の携帯電話端末３０の電子メールアドレスを用いる。
【００３９】
利き腕フラグデータ領域には、この利用者の属性情報として利き腕を特定するための識別子に関するデータが記録される。本実施形態では、右利きフラグ又は左利きフラグが記録される。
【００４０】
タグ識別子データ領域には、この利用者が利用するゴルフティーを特定するための識別子に関するデータが記録される。
ステータスデータ領域には、各ゴルフティーのタグ識別子に対して、ゴルフティーの使用状態を特定するためのデータが記録される。このステータスデータ領域には、未使用であることを示す未使用フラグ、使用中であることを示す使用中フラグ、使い終わったことを示す使用済みフラグが記録される。
【００４１】
アンテナ配置データベース２３には、図４（ｂ）に示すように、アンテナ配置レコード２３０が記録される。このアンテナ配置レコード２３０は、各ＩＣタグアンテナ１２０の設置場所が登録された場合に記録される。このアンテナ配置レコード２３０は、アンテナ識別子、座標に関するデータを含んで構成される。
【００４２】
アンテナ識別子データ領域には、各ＩＣタグアンテナ１２０を特定するための識別子に関するデータが記録される。
座標データ領域には、このＩＣタグアンテナ１２０が配置された座標に関するデータが記録される。
【００４３】
撮影条件データベース２４は撮影条件記憶手段として機能し、図４（ｃ）に示すように、撮影条件レコード２４０が記録される。この撮影条件レコード２４０は、各撮影装置（１０ａ、１０ｂ、１０ｃ）の撮影条件が登録された場合に記録される。この撮影条件レコード２４０は、利用者属性条件レコード２４１と利用者位置条件レコード２４２とから構成される。
【００４４】
ここで、利用者属性条件レコード２４１は、利き腕フラグに対してカメラ識別子に関するデータを含んで構成される。
利き腕フラグデータ領域には、利き腕を特定するための識別子に関するデータが記録される。
【００４５】
カメラ識別子データ領域には、利用者の利き腕に対して、利用する撮影装置を特定するための識別子に関するデータが記録される。例えば、右利きの場合には、ティーグラウンドの右側面に設置された撮影装置１０ａ及び後方に設置された撮影装置１０ｃを特定するための識別子が記録される。一方、左利きの場合には、ティーグラウンドの左側面に設置された撮影装置１０ｂ及び後方に設置された撮影装置１０ｃを特定するための識別子が記録される。
【００４６】
また、利用者位置条件レコード２４２は、カメラ識別子に対して撮影方向、フォーカスに関するデータを含んで構成される。
カメラ識別子データ領域には、利用する撮影装置（１０ａ、１０ｂ、１０ｃ）を特定するための識別子に関するデータが記録される。
【００４７】
撮影方向データ領域には、ティーグラウンド上の各ゴルフティーの座標に対して、撮影装置（１０ａ、１０ｂ、１０ｃ）の撮影カメラを向ける方向を特定するための関数が記録される。具体的には、撮影装置（１０ａ、１０ｂ、１０ｃ）の設置位置の座標から、ティーグラウンド上の各座標に撮影カメラを向けるための操作角度を算出するための関数である。
【００４８】
フォーカスデータ領域には、ティーグラウンド上の各ゴルフティーの座標に対して、撮影装置（１０ａ、１０ｂ、１０ｃ）の撮影カメラのフォーカスを特定するための関数が記録される。具体的には、撮影装置（１０ａ、１０ｂ、１０ｃ）の設置位置の座標から、ティーグラウンド上の各座標までの距離に応じて撮影カメラのフォーカスを算出するための関数が記録される。
【００４９】
画像管理データベース２５は録画情報記憶手段として機能し、図４（ｄ）に示すように、画像管理レコード２５０が記録される。この画像管理レコード２５０は、利用者のスイングを録画した場合に記録される。この画像管理レコード２５０は、ＵＲＬ、記録日時、利用者識別子、動画像、タイムインデックス、ベストスイングフラグ、対比画像に関するデータを含んで構成される。
【００５０】
ＵＲＬデータ領域には、録画した動画像を記録した場所を特定するためのデータ（ＵＲＬ）が記録される。
記録日時データ領域には、録画を行なった年月日及び時刻に関するデータが記録される。
【００５１】
利用者識別子データ領域には、スイングを撮影した利用者を特定するための識別子に関するデータが記録される。
動画像データ領域には、撮影した動画像データが記録される。
【００５２】
タイムインデックスデータ領域には、スイング開始時及び終了時を特定するための時刻に関するデータが記録される。なお、タイムインデックスは、画像解析処理により初期設定される。そして、利用者は、コンピュータ端末を用いて、録画管理サーバ２０にアクセスし、動画像データを確認して修正することができる。
【００５３】
ベストスイングフラグデータ領域には、ベストスイングの動画像を特定するためのフラグが記録される。このベストスイングフラグは、コンピュータ端末を用いて、録画管理サーバ２０にアクセスした利用者により設定される。
対比画像データ領域には、ベストスイングの動画像と今回の動画像とを対比した動画像データが記録される。
【００５４】
次に、上記システムを利用して実行される処理を、図５〜８を用いて説明する。本実施形態では、画像登録処理、画像解析処理、画像再生処理を実行する。
【００５５】
（画像登録処理）
まず、図５、図６を用いて画像登録処理を説明する。
この処理では、図５に示すように、アンテナ管理部１３が、ＩＣタグの検知処理を実行する（ステップＳ１−１）。具体的には、ゴルフティー１１が地面に設置された場合、アンテナ網１２のＩＣタグアンテナ１２０は、ゴルフティー１１に付加されたＩＣタグ１１０と通信を行なう。この場合、ＩＣタグ１１０は、保持しているタグ識別子をＩＣタグアンテナ１２０に対して送信する。
【００５６】
そして、各ＩＣタグアンテナ１２０は、受信したタグ識別子を、アンテナ網１２に接続されたアンテナ管理部１３に供給する。ここで、アンテナ管理部１３は、ＩＣタグ１１０を検知したすべてのＩＣタグアンテナ１２０のアンテナ識別子を特定する。そして、アンテナ管理部１３は、特定したすべてのアンテナ識別子及び検知したタグ識別子に関するデータを含めた検知情報を録画管理サーバ２０に送信する。
【００５７】
検知情報を取得した録画管理サーバ２０の制御部２１は、ゴルフティーの設置位置の特
定処理を実行する（ステップＳ１−２）。具体的には、制御部２１のタグ情報取得手段２１１が、アンテナ管理部１３から、アンテナ識別子及び検知したタグ識別子に関するデータを受信し、タグ位置特定手段２１３及び利用者特定手段２１２に検知情報を供給する。この場合、制御部２１のタグ位置特定手段２１３は、アンテナ配置データベース２３を用いて、ＩＣタグを検知したＩＣタグアンテナ１２０の座標を特定する。次に、タグ位置特定手段２１３は、各座標に囲まれた領域の中心座標を、ゴルフティー１１の設置位置として特定する。そして、タグ位置特定手段２１３は、特定した設置位置（中心座標）を撮影条件制御手段２１５に供給する。
【００５８】
また、録画管理サーバ２０の制御部２１は、ゴルフティーの利用者の特定処理を実行する（ステップＳ１−３）。具体的には、制御部２１の利用者特定手段２１２は、利用者データベース２２を用いて、タグ情報取得手段２１１から取得したＩＣタグ１１０のタグ識別子に関連付けられた利用者レコード２２０を抽出する。
【００５９】
次に、録画管理サーバ２０の制御部２１は、使用中と判断されるゴルフティーについてのタグ識別子の取得処理を実行する（ステップＳ１−４）。具体的には、制御部２１の利用者特定手段２１２が、利用者データベース２２から、使用中フラグが記録されたゴルフティーのタグ識別子を取得する。なお、利用者データベース２２において、使用中フラグに関連付けられたタグ識別子が記録されていない場合には、ゴルフティーのタグ識別子に関連付けられたステータスを使用中フラグに変更し、後述するステップＳ１−５、Ｓ１−６の処理は行なわない。
【００６０】
次に、録画管理サーバ２０の制御部２１は、利用者データベース２２において使用中フラグに関連付けられたタグ識別子と、アンテナ管理部１３から取得したタグ識別子とが一致するかどうかについての判断処理を実行する（ステップＳ１−５）。具体的には、制御部２１の利用者特定手段２１２が、使用中フラグが関連付けられたタグ識別子と、アンテナ管理部１３から取得したタグ識別子とを比較する。これにより、前回使用されたゴルフティーと今回使用するゴルフティーとが同じかどうかを判定することができる。
【００６１】
使用中フラグに関連付けられたタグ識別子と、アンテナ管理部１３から取得したタグ識別子とが一致しない場合（ステップＳ１−５において「ＮＯ」の場合）には、録画管理サーバ２０の制御部２１が、ゴルフティーのステータスの変更処理を実行する（ステップＳ１−６）。具体的には、制御部２１の利用者特定手段２１２が、利用者データベース２２において、アンテナ管理部１３から取得したタグ識別子に関連付けて、ステータスとして使用中フラグを記録する。更に、利用者特定手段２１２は、前回使用のゴルフティーのタグ識別子に関連付けられたステータスを使用中フラグから使用済みフラグに変更する。
【００６２】
なお、２つのタグ識別子が一致している場合（ステップＳ１−５において「ＹＥＳ」の場合）、前回使用されたゴルフティーを今回使用していると判断されるため、ステータスの変更を行なわない。
【００６３】
次に、録画管理サーバ２０の制御部２１は、利用者の属性取得処理を実行する（ステップＳ１−７）。具体的には、制御部２１の利用者特定手段２１２が、この利用者レコード２２０に記憶された利き腕フラグを取得する。そして、利用者特定手段２１２は、取得した利き腕フラグをカメラ特定手段２１４に供給する。
【００６４】
次に、録画管理サーバ２０の制御部２１は、撮影装置の特定処理を実行する（ステップＳ１−８）。具体的には、制御部２１のカメラ特定手段２１４が、利用者属性条件レコード２４１を用いて、利き腕フラグに対応するカメラ識別子を特定する。例えば、右利きの場合には、撮影装置（１０ａ、１０ｃ）を特定し、左利きの場合には、撮影装置（１０ｂ
、１０ｃ）を特定する。
【００６５】
そして、図６に示すように、録画管理サーバ２０の制御部２１は、撮影方向、フォーカスの調整処理を実行する（ステップＳ２−１）。具体的には、制御部２１の撮影条件制御手段２１５が、撮影条件データベース２４から、録画に用いる撮影カメラのカメラ識別子が記録された撮影条件レコード２４０を抽出する。そして、撮影条件制御手段２１５は、撮影条件レコード２４０に記録された撮影方向及びフォーカスを特定する関数に、タグ位置特定手段２１３から取得した座標を代入して、撮影方向及びフォーカスを特定する。そして、撮影条件制御手段２１５は、録画に用いる撮影装置（１０ａ、１０ｃ又は１０ｂ、１０ｃ）に対して、撮影方向及びフォーカスを指示する。
【００６６】
次に、録画管理サーバ２０の制御部２１は、撮影開始指示処理を実行する（ステップＳ２−２）。具体的には、制御部２１の撮影制御手段２１６が、録画に用いる撮影装置（１０ａ、１０ｃ又は１０ｂ、１０ｃ）に対して、撮影開始を指示する。この場合、各撮影装置（１０ａ、１０ｃ又は１０ｂ、１０ｃ）は、撮影した動画像データを録画管理サーバ２０に供給する。
【００６７】
そして、録画管理サーバ２０の制御部２１は、撮影装置からの動画像取り込み処理を実行する（ステップＳ２−３）。具体的には、制御部２１の撮影制御手段２１６が、撮影装置（１０ａ、１０ｃ又は１０ｂ、１０ｃ）から撮影された動画像を取得し、逐次、メモリに一時記録する。
【００６８】
そして、録画管理サーバ２０の制御部２１は、動画像の記録処理を継続しながら、ＩＣタグ１１０を検知できなくなったかどうかについての確認処理を実行する（ステップＳ２−４）。ゴルフティー１１が抜かれたり飛ばされたりして、アンテナ網１２においてＩＣタグ１１０を検知できなくなり、タグ情報取得手段２１１が検知情報を取得しなくなる。この場合（ステップＳ２−４において「ＹＥＳ」の場合）、録画管理サーバ２０の制御部２１は、ＩＣタグ１１０を検知できなくなってから継続基準時間が経過したかどうかの確認処理を実行する（ステップＳ２−５）。具体的には、撮影制御手段２１６は、継続基準時間（例えば、１０秒）に関するデータを保持しており、ＩＣタグ１１０を検知しなくなった時点からの経過時間と継続基準時間とを比較する。この場合にも、制御部２１は、動画像の記録処理を継続する。
【００６９】
ＩＣタグ１１０を検知できなくなってから継続基準時間が経過した場合（ステップＳ２−５において「ＹＥＳ」の場合）、録画管理サーバ２０の制御部２１は、撮影終了指示処理を実行する（ステップＳ２−６）。具体的には、制御部２１の撮影制御手段２１６が、撮影を行なっている撮影装置（１０ａ、１０ｃ又は１０ｂ、１０ｃ）に対して、撮影終了の指示を送信する。この場合、撮影装置（１０ａ、１０ｃ又は１０ｂ、１０ｃ）は撮影を終了する。
【００７０】
そして、録画管理サーバ２０の制御部２１は、撮影画像の登録処理を実行する（ステップＳ２−７）。具体的には、制御部２１の撮影制御手段２１６が、システムタイマから現在日時を取得する。更に、撮影制御手段２１６は、ＵＲＬを付与して、記録日時とともに、メモリに一時記憶された動画像を画像管理データベース２５に記録する。
【００７１】
（画像解析処理）
次に、画像解析処理について、図７を用いて説明する。
ここでは、録画管理サーバ２０の制御部２１は、モーションキャプチャにより画像解析処理を実行する（ステップＳ３−１）。具体的には、制御部２１の画像編集手段２１７が、今回、撮影した動画像について、モーションキャプチャにより、クラブの動きを特定し
、スイング開始時及び終了時を特定する。そして、画像編集手段２１７は、スイング開始時及び終了時の時刻（タイムインデックス）を画像管理データベース２５に記録する。
【００７２】
次に、録画管理サーバ２０の制御部２１は、ベストスイングとの対比画像生成処理を実行する（ステップＳ３−２）。具体的には、制御部２１の画像編集手段２１７は、画像管理データベース２５から、この利用者のベストスイングフラグが記録された画像管理レコード２５０を抽出する。そして、画像編集手段２１７は、タイムインデックスにより特定されるスイング開始時から終了時とを同期させて、今回の動画像とベストスイングフラグが記録された動画像とを並べた対比画像データを生成する。
【００７３】
次に、録画管理サーバ２０の制御部２１は、対比画像の登録処理を実行する（ステップＳ３−３）。具体的には、制御部２１の画像編集手段２１７は、生成した対比画像データを画像管理データベース２５に記録する。
【００７４】
次に、録画管理サーバ２０の制御部２１が、ＵＲＬを付加した登録通知処理を実行する（ステップＳ３−４）。具体的には、制御部２１の画像編集手段２１７は、利用者データベース２２から、利用者識別子に関連付けられた連絡先（ここでは、電子メールアドレス）を取得し、動画像を登録したＵＲＬを付加した電子メールを、利用者の連絡先に送信する。
【００７５】
（画像再生処理）
次に、画像再生処理について、図８を用いて説明する。電子メールを受信した利用者は、動画像を再生するために、電子メールに付加されたＵＲＬを用いて、録画管理サーバ２０にアクセスする。
【００７６】
これにより、録画管理サーバ２０の制御部２１は、再生要求の受信処理を実行する（ステップＳ４−１）。具体的には、制御部２１の画像提供手段２１８が、利用者の携帯電話端末３０からの再生要求を受信する。この再生要求には、ＵＲＬに関するデータが含まれる。
【００７７】
次に、録画管理サーバ２０の制御部２１は、ＵＲＬに基づいて画像データの特定処理を実行する（ステップＳ４−２）。具体的には、制御部２１の画像提供手段２１８が、この再生要求に含まれるＵＲＬに対応する画像管理レコード２５０を画像管理データベース２５から取得する。
【００７８】
そして、録画管理サーバ２０の制御部２１は、画像データの送信処理を実行する（ステップＳ４−３）。具体的には、制御部２１の画像提供手段２１８は、画像管理レコード２５０に記録された動画像において、タイムインデックスにより特定されるスイング開始時〜終了時の動画像を携帯電話端末３０に提供する。また、対比画像については、スイング開始時〜終了時の動画像を同期させた形態で提供する。この場合、携帯電話端末３０は、録画管理サーバ２０から取得した動画像や対比画像を再生する。
【００７９】
本実施形態の録画管理システムによれば、以下のような効果を得ることができる。
・  本実施形態では、アンテナ管理部１３は、特定したすべてのアンテナ識別子及び検知したタグ識別子に関するデータを含めた検知情報を録画管理サーバ２０に送信する。そして、録画管理サーバ２０の制御部２１は、ゴルフティーの設置位置の特定処理を実行する（ステップＳ１−２）。更に、録画管理サーバ２０の制御部２１は、ゴルフティーの利用者の特定処理を実行する（ステップＳ１−３）。これにより、アンテナ識別子によりゴルフティーの設置位置を特定し、タグ識別子により利用者を特定することができる。そして、ゴルフティーの設置位置と利用者属性とを用いて、録画に用いる撮影装置（１０ａ、
１０ｂ、１０ｃ）や、撮影条件（撮影方向やフォーカス）を特定することができる。
【００８０】
・  本実施形態では、録画管理サーバ２０の制御部２１は、今回使用するゴルフティーと、前回使用したゴルフティーとが同じかどうかについての判断処理を実行する（ステップＳ１−５）。ゴルフティーを紛失した場合、このゴルフティーを他のゴルファーが利用する場合があるが、このような場合にも誤録画を防止することができる。
【００８１】
・  本実施形態では、録画管理サーバ２０の制御部２１は、ＩＣタグ１１０を検知できなくなるまで、動画像の記録処理を継続する（ステップＳ２−４）。スイングによってゴルフティー１１が飛ばされた場合や、利用者がゴルフティー１１を地面から抜いた場合、ＩＣタグアンテナ１２０はＩＣタグ１１０を検知しなくなる。この場合、ＩＣタグ１１０を検知できなくなってから継続基準時間が経過した場合（ステップＳ２−５において「ＹＥＳ」の場合）、録画管理サーバ２０の制御部２１は、撮影終了指示処理を実行する（ステップＳ２−６）。これにより、録画管理サーバ２０の制御部２１は、スイング状況を考慮して録画を終了させることができる。特に、所定の時間（継続基準時間）の録画を継続するため、スイングによってゴルフティー１１が飛ばされた場合にも、ボールが飛んだ後のフォームを確実に録画することができる。
【００８２】
・  本実施形態では、録画管理サーバ２０の制御部２１が、ＵＲＬを付加した登録通知処理を実行する（ステップＳ３−４）。具体的には、制御部２１の画像編集手段２１７は、利用者データベース２２から、利用者識別子に関連付けられた連絡先（ここでは、電子メールアドレス）を取得し、動画像を登録したＵＲＬを付加した電子メールを、利用者の連絡先に送信する。そして、録画管理サーバ２０の制御部２１は、再生要求を受信した場合、ＵＲＬに基づいて画像データを特定し（ステップＳ４−２）、携帯電話端末３０に送信する（ステップＳ４−３）。これにより、利用者は、その場でスイングを確認することができる。
【００８３】
・  本実施形態では、録画管理サーバ２０の制御部２１は、モーションキャプチャにより画像解析処理を実行する（ステップＳ３−１）。具体的には、制御部２１の画像編集手段２１７が、今回、撮影した動画像について、モーションキャプチャにより、クラブの動きを特定し、スイング開始時及び終了時を特定する。そして、画像編集手段２１７は、スイング開始時及び終了時の時刻（タイムインデックス）を画像管理データベース２５に記録する。これにより、利用者は、スイング開始時から終了時までをトリミングした形態で動画像を閲覧することができる。
【００８４】
更に、録画管理サーバ２０の制御部２１は、ベストスイングとの対比画像データを生成し、画像管理データベース２５に記録する。録画管理サーバ２０の制御部２１は、ＵＲＬを指定した再生要求を受信した場合、この対比画像データを携帯電話端末３０に送信する（ステップＳ４−３）。これにより、利用者は、スイングの状態を確認することができる。
【００８５】
また、上記実施形態は、以下のように変更してもよい。
○  上記実施形態では、利用者のゴルフスイングを撮影する録画サービスを提供する場合を想定したが、録画対象はこれに限定されるものではない。ＩＣタグ１１０の位置やＩＣタグ１１０のタグ識別子に応じて撮影条件を変更できるものであれば、この撮影処理方法を利用することができる。
【００８６】
例えば、高価な商品や美術展示品、自動車の車両内の備品等の物品にＩＣタグ１１０を貼付しておくことも可能である。この場合、出入口等に設置されたＩＣタグアンテナ１２０を用いてＩＣタグ１１０を検知する。そして、検知位置に対応した撮影装置を用いて、
持出時や盗難時の映像の録画を行なう。更に、ＩＣタグ１１０に基づいて特定される物品の属性に対応して撮影条件を決定する。これにより、セキュリティーを向上させることができる。
【００８７】
○  上記実施形態では、録画サービスを利用する場合には、利用者の携帯電話端末３０を用いる。画像管理データベース２５に記録された動画像を閲覧する利用者端末はこれに限定されるものではなく、インターネットに接続されたコンピュータ端末等を用いることも可能である。
【００８８】
○  上記実施形態では、ティーグラウンドにおいて仕切られた領域の端部毎に埋設されているＩＣタグアンテナ１２０が設けられている。アンテナの形状はこれに限定されるものではなく、仕切られた領域の周囲毎に設けられたループアンテナを用いることも可能である。この場合には、ループアンテナ内の領域のＩＣタグを検知することにより、ＩＣタグの所在位置を特定することができる。
【００８９】
○  上記実施形態では、制御部２１の画像提供手段２１８は、画像管理レコード２５０に記録された動画像及び対比画像を、携帯電話端末３０に提供する。これに代えて、いずれか一方のみを提供するように構成することも可能である。
【００９０】
○  上記実施形態では、制御部２１のタグ位置特定手段２１３は、アンテナ配置データベース２３を用いて、ＩＣタグを検知したＩＣタグアンテナ１２０の座標を特定する。次に、タグ位置特定手段２１３は、各座標に囲まれた領域の中心座標を、ゴルフティー１１の設置位置として特定する。ゴルフティー１１の設置位置の特定方法は、これに限定されるものではない。例えば、ＩＣタグ１１０の信号強度に基づいて、ゴルフティー１１の設置位置を特定することも可能である。具体的には、ＩＣタグアンテナ１２０は、ＩＣタグ１１０からの信号強度をアンテナ管理部１３に供給する。そして、アンテナ管理部１３は、ＩＣタグアンテナ１２０のアンテナ識別子に関連付けて、各ＩＣタグアンテナ１２０において受信した信号強度を録画管理サーバ２０に送信する。この場合、制御部２１のタグ位置特定手段２１３は、信号強度を比較し、複数のＩＣタグアンテナ１２０の信号強度の関係からゴルフティー１１の設置位置を特定する。
【符号の説明】
【００９１】
１０ａ，１０ｂ，１０ｃ…撮影装置、１１…ゴルフティー、１１０…ＩＣタグ、１２…アンテナ網、１２０…ＩＣタグアンテナ、１３…アンテナ管理部、２０…録画管理サーバ、２１…制御部、２１１…タグ情報取得手段、２１２…利用者特定手段、２１３…タグ位置特定手段、２１４…カメラ特定手段、２１５…撮影条件制御手段、２１６…撮影制御手段、２１７…画像編集手段、２１８…画像提供手段、２２…利用者データベース、２３…アンテナ配置データベース、２４…撮影条件データベース、２５…画像管理データベース。
【図１】
2010213339.tif 000003
【図２】
2010213339.tif 000004
【図３】
2010213339.tif 000005
【図４】
2010213339.tif 000006
【図５】
2010213339.tif 000007
【図６】
2010213339.tif 000008
【図７】
2010213339.tif 000009
【図８】
2010213339.tif 000010